(57)【要約】【課題】木材の利用効率を高めることができる内装建材を提供する。【解決手段】長方形の板状基板１０と、板状基板１０の一方の面に接着された複数の木片２１、２２とを備える内装建材であって、板状基板１０の一方の面が、長方形の長手方向に配列された複数の木片２１、２２により覆われており、この複数の木片が、長方形の長手方向の長さを異にする複数種類の木片２１、２２から成り、長方形の長手方向に隣接して配列された木片同士の長手方向の長さが異なっている。この内装建材は、板状基板１０に接着する複数の木片２１、２２に、端材や間伐材を用いることができる。この木片は、長さが異なる複数種類の木片から成るため、長さの短い端材でも、その長さに合った木片として使用することができる。【選択図】図１
0003153742.tif 000002
【実用新案登録請求の範囲】
【請求項１】
長方形の板状基板と、前記板状基板の一方の面に接着された複数の木片とを備える内装建材であって、
前記板状基板の一方の面が、前記長方形の長手方向に配列された複数の木片により覆われており、
前記複数の木片が、前記長方形の長手方向の長さを異にする複数種類の木片から成り、
前記長方形の長手方向に隣接して配列された前記木片同士の前記長手方向の長さが異なっていることを特徴とする内装建材。
【請求項２】
請求項１に記載の内装建材であって、前記複数の木片が、前記長方形の長手方向の長さを異にする第１の木片と第２の木片とから成り、前記長方形の長手方向に、前記第１の木片と前記第２の木片とが交互に配列されていることを特徴とする内装建材。
【請求項３】
請求項１または２に記載の内装建材であって、前記木片の前記板状基板への接着面に１または複数本の溝が形成されており、前記溝内の空隙に空気が保持されていることを特徴とする内装建材。
【請求項４】
請求項１から３のいずかに記載の内装建材であって、前記板状基板上に隣接して配列された前記木片同士が、前記板状基板の反対側の表面で密着するとともに、前記板状基板の側で空隙を介して対向し、前記空隙に空気が保持されていることを特徴とする内装建材。
【請求項５】
請求項１から４のいずかに記載の内装建材であって、前記木片の各々が、平坦な表面を有し、前記板状基板とともにフローリング材を構成していることを特徴とする内装建材。
【請求項６】
請求項１から４のいずかに記載の内装建材であって、前記木片の各々が、平坦でない表面を有し、前記板状基板とともにモールディング材を構成していることを特徴とする内装建材。
【請求項７】
請求項６に記載の内装建材であって、前記木片の各々が、山型に突出した表面を有していることを特徴とする内装建材。
【考案の詳細な説明】
【技術分野】
【０００１】
本考案は、フローリング材やモールディング材などに使用する内装建材に関し、端材や間伐材などの有効活用を可能にするものである。
【背景技術】
【０００２】
従来から、薄い板（ラミナ）を重ねて接着剤で接着した集成材が、壁材、階段、テーブルトップなどに広く使われている。
また、下記特許文献１には、３枚の板を積層・接着してフローリング材を製造する技術が開示されている。
このように、複数の木質素材を接着して一体化した複合材は、機械的に強固であり、そのため、従来から建材として広く用いられている。
【先行技術文献】
【特許文献】
【０００３】
【特許文献１】特開２００７−６２３４４号公報
【考案の概要】
【考案が解決しようとする課題】
【０００４】
しかし、集成材の歩留まり（丸太の体積に対する、集成材に利用されるラミナの体積の割合）は、一般的には３０％程度、高くても４０％台に止まると言われており、意外に低いことが知られている。これは、挽き板から所定形状のラミナを製造する工程で多くの端材が発生するためである。
同様のことは、３枚の同じような大きさの板を必要とする特許文献１のフローリング材にも当て嵌まり、この場合も、木材の利用効率の向上は期待できない。
製材等の過程で発生するこれらの端材は、その多くがコストを掛けて焼却処理されている。
【０００５】
本考案は、こうした事情を考慮して創案したものであり、木材資源の利用効率を高めることができる内装建材を提供することを目的としている。
【課題を解決するための手段】
【０００６】
本考案は、長方形の板状基板と、前記板状基板の一方の面に接着された複数の木片とを備える内装建材であって、前記板状基板の一方の面が、前記長方形の長手方向に配列された複数の木片により覆われており、前記複数の木片が、前記長方形の長手方向の長さを異にする複数種類の木片から成り、前記長方形の長手方向に隣接して配列された前記木片同士の前記長手方向の長さが異なっていることを特徴とする。
この内装建材は、板状基板に接着する複数の木片に、端材や間伐材を用いることができる。この木片は、長さが異なる複数種類の木片から成るため、長さの短い端材でも、その長さに合った木片として使用することができる。
【０００７】
また、本考案の内装建材は、前記複数の木片を、前記長方形の長手方向の長さを異にする第１の木片と第２の木片とで構成し、前記長方形の長手方向に、前記第１の木片と前記第２の木片とを交互に配列して形成することができる。
こうした配列により、内装建材の長手方向の強度分布が均衡化し、また、美観を与える幾何学的な意匠が得られる。
【０００８】
また、本考案の内装建材は、前記木片の前記板状基板への接着面に１または複数本の溝が形成されており、前記溝内の空隙に空気が保持されている。
木片に溝を設けたことで、木片の変形や反りに対する矯正が容易になる。この溝により板状基板と木片との接着面積は減少するが、接着に反発する木片の変形や反りが生じないため、接着箇所の接着強度が高まり、木片は板状基板に強固に接着される。また、この溝内の空隙で保持された空気は、建材の遮音性、断熱性、保温性を向上させる。
【０００９】
また、本考案の内装建材は、前記板状基板上に隣接して配列された前記木片同士が、前記板状基板の反対側の表面で密着するとともに、前記板状基板の側で空隙を介して対向し、前記空隙に空気が保持されている。
この木片間の空隙は、大きな荷重を受けた建材が撓むときに発生する軋みを軽減する。また、この空隙で保持された空気は、建材の遮音性、断熱性、保温性を向上させる。
【００１０】
また、本考案の内装建材は、各木片の表面を平坦にして、前記板状基板とともにフローリング材を構成することができる。
この内装建材は、車椅子に乗った人を安定して支えられる十分な強度を備えたフローリング材として用いることができる。また、このフローリング材は、複数の木片の繋ぎ目が床面に現われるため、従来のフローリング床に比べて滑り難く、床上での転倒事故が防止できる。
【００１１】
また、本考案の内装建材は、各木片の表面を平坦でない形状に成形し、前記板状基板とともにモールディング材を構成することができる。
この内装建材は、壁面を立体的且つ装飾的に仕上げる装飾材、回り縁、幅木などのモールディング材として用いることができる。
【００１２】
また、本考案のモールディング材として用いる内装建材は、前記木片の各々が、山型に突出した表面を持つように構成することができる。
山型の傾斜面に端材の年輪が等高線状に現れ、興味深い意匠のモールディング材とすることができる。
【考案の効果】
【００１３】
本考案の内装建材は、板状基板に接着する木片として端材や間伐材などを用いることができる。この木片は、寸法が長いものと短いものとを組み合わせているため、長さが短い端材などであっても、寸法が短い方の木片として利用可能であり、木材資源を有効に活用することができる。
また、この内装建材は、木の温もりを備え、且つ、十分な機械的強度を有している。
【図面の簡単な説明】
【００１４】
【図１】本考案の実施形態に係るフローリング材の斜視図
【図２】図１のフローリング材の分解斜視図
【図３】図１のフローリング材の平面図（ａ）と背面図（ｂ）
【図４】図１のフローリング材の側面図（ａ）（ｂ）（ｃ）と連結したフローリング材の側面図（ｄ）
【図５】図１のフローリング材の分解側面図（ａ）と第１の木片の背面図（ｂ）と第２の木片の背面図（ｃ）
【図６】本考案の実施形態に係るモールディング材の斜視図
【図７】図６のモールディング材の分解斜視図
【図８】図６のモールディング材の背面図（ａ）、平面図（ｂ）、側面図（ｃ）（ｄ）（ｅ）、分解側面図（ｆ）、第１の木片の背面図（ｇ）及び第２の木片の背面図（ｈ）
【考案を実施するための形態】
【００１５】
本考案の内装建材の実施形態に係るフローリング材について説明する。
図１の斜視図は、工場生産されたフローリング材の全体形状を示し、図２の分解斜視図は、その構成部品を示している。また、全体形状の平面図を図３（ａ）に、背面図を図３（ｂ）に、長手方向の側面図を図４（ａ）に、端面から見た側面図を図４（ｂ）（ｃ）に、複数結合したフローリング材の側面図を図４（ｄ）に示し、構成部品をばらばらにした状態の側面図を図５（ａ）に示し、構成部品の背面図を図５（ｂ）（ｃ）に示している。
【００１６】
このフローリング材は、図１、図２に示すように、板状基板１０の一面に、長さが異なる第１の木片２１と第２の木片２２とが交互に配置され、板状基板１０に接着されている。ここでは、第１の木片２１の寸法が第２の木片２２の寸法より長い例を示している。
板状基板１０は、背面に２本の溝１０３を有し（図３（ｂ））、一方の側面に凸条１０１を有し、反対側の側面に凹溝１０２を有している。
溝１０３は、工場内で保管されている板状基板１０が乾燥して変形したり反ったりした場合でも、フローリング材成形工程において、その変形や反りが容易に矯正できるように設けられている。従来から、木材では、寸法の狂いを防ぐために木材に鋸目を入れて木材の曲がる力や反る力を殺ぐ“去勢”という処理が行われているが、この溝１０３は、去勢の役割を果たしている。
また、凸条１０１は、このフローリング材を並べてフローリング床を構成したとき、隣接する板状基板の凹溝１０２に嵌り込む。
【００１７】
第１の木片２１及び第２の木片２２は、図２では二枚の板がずれて重ねられているように見えるが、これらの木片２１、２２は、いずれも一つの端材から成形されている。第１の木片２１は、下側部分２１１が、上側部分２１２の直交する二辺から突出した凸部分２１４（図５（ａ））と、上側部分２１２の直交する他の二辺から引っ込んだ凹部分２１５（図５（ａ））とを持つように加工され、また、第２の木片２２は、下側部分２２１が、上側部分２２２の直交する二辺から突出した凸部分２２４（図５（ａ））と、上側部分２２２の直交する他の二辺から引っ込んだ凹部分２２５（図５（ａ））とを持つように加工されている。
【００１８】
また、第１の木片２１の下側部分２１１には、板状基板１０との接着面に２本の溝２１３（図５（ｂ））が形成され、第２の木片２２の下側部分２２１にも、同様に、板状基板１０との接着面に２本の溝２２３（図２（Ａ方向から見た図）、図５（ｃ））が形成されている。第１の木片２１は、溝２１３が板状基板１０の長手方向（木片の配列方向）に沿うように板状基板１０上に配置され、第２の木片２２は、溝２２３が配列方向と直交するように板状基板１０上に配置される。
【００１９】
第１の木片２１において、下側部分２１１の配列方向の凸部分２１４は、板状基板１０上で隣接する第２の木片２２の凹部分２２５に嵌合し、幅方向（配列方向に直交する方向）の凸部分２１４は、並列するフローリング材の第１の木片２１または第２の木片２２の凹部分２１５、２２５に嵌合する。
同様に、第２の木片２２において、下側部分２２１の配列方向の凸部分２２４は、板状基板１０上で隣接する第１の木片２１の凹部分２１５に嵌合し、幅方向の凸部分２２４は、並列するフローリング材の第２の木片２２または第１の木片２１の凹部分２２５、２１５に嵌合する。
【００２０】
図３（ａ）及び図４（ａ）に示すように、板状基板１０上に第１の木片２１及び第２の木片２２を組み合わせて接着したフローリング材は、第１の木片２１の上側部分２１２と第２の木片２２の上側部分２２２とが密に接着されている。しかし、第１の木片２１の下側部分２１１と第２の木片２２の下側部分２２１との間には空隙３０が存在している。これは、図５（ａ）から明らかなように、第１の木片２１及び第２の木片２２の下側部分２１１、２２１において、配列方向の凸部分２１４、２２４の突出長さが、凹部分２１５、２２５の引っ込み距離より短く設定されているためである。
この空隙３０は、フローリング材が人を乗せた車椅子の重さなどで撓んだ場合でも、第１の木片２１と第２の木片２２とが擦れて発生する軋みを低減する作用を果たしている。また、この空隙３０に保持された空気は、フローリング材の遮音性、断熱性、保温性を向上させる。
【００２１】
また、第１の木片２１及び第２の木片２２の幅方向の凸部分２１４、２２４は、並列するフローリング材の木片２１、２２の凹部分２１５、２２５に嵌まり込んで、並列するフローリング材との一体化に貢献し、それとともに、並列するフローリング材との間の隙間（床から見える隙間）を塞ぐ働きをしている。
また、第１の木片２１及び第２の木片２２の下側部分２１１、２２１の背面に形成した２本の溝２１３、２２３は、去勢の役割を果たしており、これらの木片が工場内で保管されている間に変形したり反ったりした場合でも、フローリング材成形工程において、その変形や反りは容易に矯正できる。この溝２１３、２２３により板状基板１０と木片２１、２２との接着面積は減少するが、接着に反発する木片２１、２２の変形や反りが殺がれているため、接着箇所の接着強度が高まり、第１の木片２１及び第２の木片２２は板状基板１０に強固に接着される。また、この溝２１３、２２３の空隙に保持された空気は、フローリング材の遮音性、断熱性、保温性を向上させる。
【００２２】
このフローリング材の複数本を並列に、且つ、前後方向に組み合わせることで、床面が形成できる。
図４（ｄ）には、フローリング材の複数本を組合わせたフローリング床の断面を示している。
このフローリング材は、複数の木質素材の複合材であるため、機械的に強固であり、また、寸法の異なる第１の木片２１と第２の木片２２とを交互に配置しているため、長手方向の強度がバランスしている。そのため、それを用いて構成された床は、例えば、車椅子に乗った人を安定に支えられる十分な強度を有している。
また、第１の木片２１と第２の木片２２とを交互に配置して得られる幾何学的な意匠は、美観を感じさせる。
また、このフローリング材で形成したフローリング床は、第１の木片２１と第２の木片２２との繋ぎ目で摩擦抵抗が大きくなるため、従来のフローリング床に比べて滑り難い。従来のフローリング床では、滑って転倒する家庭内事故が頻発しているが、このフローリング材では、こうした床上での転倒事故が防止できる。
【００２３】
また、このフローリング材を構成している第１の木片２１、第２の木片２２及び板状基板１０は、いずれも小面積であり、このフローリング材は、端材や間伐材を用いて製造することができる。特に、第１の木片２１や第２の木片２２には、小さな端材が利用できる。また、第２の木片２２の寸法は、第１の木片２１よりも短いため、第１の木片２１に利用できない大きさの端材であっても第２の木片２２として使うことができる。
このように、このフローリング材は、木材資源を有効に活用して工場生産することが可能である。
【００２４】
次に、本考案の内装建材の実施形態に係るモールディング材について説明する。モールディング材は、壁面を立体的且つ装飾的に仕上げる装飾材であり、天井との境界に設ける回り縁や、床との境界に設ける幅木などもモールディング材に含まれる。
図６の斜視図は、工場生産されたモールディング材の全体形状を示し、図７の分解斜視図は、その構成部品を示している。また、全体形状の平面図を図８（ｂ）に、背面図を図８（ａ）に、長手方向の側面図を図８（ｅ）に、端面から見た側面図を図８（ｃ）（ｄ）に、構成部品をばらばらにした状態の側面図を図８（ｆ）に、また、装飾木片の背面図を図８（ｇ）（ｈ）に示している。
【００２５】
このモールディング材は、図６、図７に示すように、板状基板５０の一面に、長さが異なる第１の装飾木片６１と第２の装飾木片６２とが交互に配置され、板状基板５０に接着されている。ここでは、第１の装飾木片６１の寸法が第２の装飾木片６２の寸法より長い例を示している。
板状基板５０は、背面に、去勢用の２本の溝５０３を有している（図８（ａ））。
【００２６】
第１の装飾木片６１及び第２の装飾木片６２は、いずれも一つの端材から、縦・横の断面が台形状を呈する山型に成形されている。また、第１の装飾木片６１及び第２の装飾木片６２の背面には、２本の溝６１３、６２３（図８（ｇ）（ｈ））が形成されており、第１の装飾木片６１は、溝６１３が板状基板５０の配列方向に沿うように、また、第２の装飾木片６２は、溝６２３が配列方向と直交するように、それぞれ板状基板５０上に配置される。
この溝６１３、６２３は、去勢の役割を果たしており、第１の装飾木片６１及び第２の装飾木片６２が工場内で保管されている間に変形したり反ったりした場合でも、モールディング材成形工程において、その変形や反りは容易に矯正できる。
【００２７】
板状基板５０の一面には、この第１の装飾木片６１及び第２の装飾木片６２が、それらの端部を密に突き合わせて配置されており、板状基板５０の一面は、接着された第１の装飾木片６１及び第２の装飾木片６２の複数個によって覆われている。
板状基板５０と第１の装飾木片６１及び第２の装飾木片６２との間には、溝６１３、６２３による空隙が存在し、この空隙に保持された空気が、モールディング材の遮音性、断熱性、保温性を向上させる。
【００２８】
このモールディング材は、複数の木質素材の複合材であるため、機械的に強固であり、また、寸法の異なる第１の装飾木片６１と第２の装飾木片６２とを交互に配置しているため、長手方向の強度がバランスしている。
このモールディング材は、長さ方向に必要個数を繋げて壁に配置される。
第１の装飾木片６１及び第２の装飾木片６２に形成された山型の傾斜面には木材の年輪が等高線のように現われ、興味深い意匠を形成し、美観を感じさせる。
【００２９】
このモールディング材を構成している第１の装飾木片６１、第２の装飾木片６２及び板状基板５０は、いずれも小面積であり、端材や間伐材を用いて形成することができる。特に、第１の装飾木片６１や第２の装飾木片６２には、小さな端材が利用できる。また、第２の装飾木片６２の寸法は、第１の装飾木片６１よりも短いため、第１の装飾木片６１に利用できない大きさの端材であっても第２の装飾木片６２として使うことができる。
このように、このモールディング材は、木材資源を有効に活用して工場生産することが可能である。
【００３０】
なお、ここで示した木片２１、２２や装飾木片６１、６２の形状・寸法などは、一例であって、本考案は、それに限定されるものではない。また、ここでは２種類の木片や装飾木片を板状基板上に配列させているが、３種類以上の木片や装飾木片を用いても良い。
また、ここでは、本考案の内装建材の実施形態としてフローリング材及びモールディング材を挙げたが、本考案の用途は、それに限定されない。例えば、腰壁や天井などにも使用することができる。
【産業上の利用可能性】
【００３１】
本考案の内装建材は、木材資源の有効活用を可能にするものであり、個人住宅、共同集合住宅、商業施設、公共建物などの内装に広く用いることができる。
【符号の説明】
【００３２】
１０    板状基板
２１    第１の木片
２２    第２の木片
３０    空隙
５０    板状基板
６１    第１の装飾木片
６２    第２の装飾木片
２１１  第１の木片の下側部分
２１２  第１の木片の上側部分
２２１  第２の木片の下側部分
２２２  第２の木片の上側部分
【図１】
0003153742.tif 000003
【図２】
0003153742.tif 000004
【図３】
0003153742.tif 000005
【図４】
0003153742.tif 000006
【図５】
0003153742.tif 000007
【図６】
0003153742.tif 000008
【図７】
0003153742.tif 000009
【図８】
0003153742.tif 000010